(57)【要約】【課題】表示用コンピュータの異常が検出されてから画像表示装置の映像入力が切り替えられるまでの間でも、その画像表示装置の全ての映像が止まってしまうことを回避することができる映像表示システムを提供することを目的とする。【解決手段】映像表示システムは、通常時に対応する画像表示装置１，２，３，４の画面の描画の一部を行う表示用コンピュータ１１，１２，１３，１４と、通常時に対応する画像表示装置１，２，３，４の画面の描画の残部を行う表示用コンピュータ２１，２２，２３，２４とを備えている。通信相手の異常検出時に、表示用コンピュータ１１，１２，１３，１４および表示用コンピュータ２１，２２，２３，２４のうち正常な表示用コンピュータは対応する画像表示装置１，２，３，４の画面の描画の全部を行う。【選択図】図１
2017181526.tif 000002
【特許請求の範囲】
【請求項１】
複数の画像表示装置により構成されるマルチ画面に映像を表示させる映像表示システムであって、
各前記画像表示装置ごとに設けられて対応する前記画像表示装置に接続され、かつ、通常時に対応する前記画像表示装置の画面の描画の一部を行う第１の表示用コンピュータと、
各前記画像表示装置ごとに設けられて対応する前記画像表示装置に接続され、かつ、通常時に対応する前記画像表示装置の前記画面の描画の残部を行う第２の表示用コンピュータと、
を備え、
同じ前記画像表示装置に接続された前記第１の表示用コンピュータおよび前記第２の表示用コンピュータは、互いに通信可能に接続され、かつ、通信相手の異常を検出する機能を有し、
通信相手の異常検出時に、前記第１の表示用コンピュータおよび前記第２の表示用コンピュータのうち正常な表示用コンピュータは対応する前記画像表示装置の前記画面の描画の全部を行う、映像表示システム。
【請求項２】
前記画像表示装置は、通常時に前記第１の表示用コンピュータおよび前記第２の表示用コンピュータが行う描画の前記一部および前記残部の合成を行い、異常検出時に前記正常な表示用コンピュータは、前記合成を行わせない、請求項１記載の映像表示システム。
【請求項３】
前記第１の表示用コンピュータおよび前記第２の表示用コンピュータは、ＬＡＮインターフェースまたはＲＳ２３２Ｃインターフェースによって接続される、請求項１または請求項２記載の映像表示システム。
【発明の詳細な説明】
【技術分野】
【０００１】
本発明は、複数のコンピュータに接続された複数の画像表示装置に映像を表示させる映像表示システムに関するものである。
【背景技術】
【０００２】
複数の画像表示装置を格子状に配置することにより、１つの大画面として表示可能にするディスプレイウォールシステム（映像表示システム）が製品化されている。映像表示システムは、監視制御システムの分野において広く用いられている。映像表示システムでは、１台の画像表示装置が出力できる画面サイズよりも高解像度の映像を表示するために、各画像表示装置に表示用コンピュータをそれぞれ接続し、複数の表示用コンピュータに個々の部分の映像を表示させ、複数の画像表示装置に跨ったウィンドウ映像を表示させる方式がある。
【０００３】
また、監視制御システムの分野においては運転継続性が求められる。そのため、監視制御システムで用いられる映像表示システムでは、１台の画像表示装置に複数の表示用コンピュータを接続し、１台の表示用コンピュータが異常になった場合、待機している別の表示用コンピュータに切り替えるという方法がある（例えば、特許文献１参照）。
【先行技術文献】
【特許文献】
【０００４】
【特許文献１】特許第４６７５５６７号公報
【発明の概要】
【発明が解決しようとする課題】
【０００５】
しかしながら、特許文献１に記載の映像表示システムでは、表示用コンピュータの異常が検出されてから、異常になった表示用コンピュータから別の表示用コンピュータに映像の表示開始指示が行われることで別の表示用コンピュータから映像が出力され、画像表示装置の映像入力が切り替えられるまでの間は、その画像表示装置の全ての映像が止まってしまうという問題がある。
【０００６】
そこで、本発明は、表示用コンピュータの異常が検出されてから画像表示装置の映像入力が切り替えられるまでの間でも、その画像表示装置の全ての映像が止まってしまうことを回避することができる映像表示システムを提供することを目的とする。
【課題を解決するための手段】
【０００７】
本発明に係る映像表示システムは、複数の画像表示装置により構成されるマルチ画面に映像を表示させる映像表示システムであって、各前記画像表示装置ごとに設けられて対応する前記画像表示装置に接続され、かつ、通常時に対応する前記画像表示装置の画面の描画の一部を行う第１の表示用コンピュータと、各前記画像表示装置ごとに設けられて対応する前記画像表示装置に接続され、かつ、通常時に対応する前記画像表示装置の前記画面の描画の残部を行う第２の表示用コンピュータとを備え、同じ前記画像表示装置に接続された前記第１の表示用コンピュータおよび前記第２の表示用コンピュータは、互いに通信可能に接続され、かつ、通信相手の異常を検出する機能を有し、通信相手の異常検出時に、前記第１の表示用コンピュータおよび前記第２の表示用コンピュータのうち正常な表示用コンピュータは対応する前記画像表示装置の前記画面の描画の全部を行うものである。
【発明の効果】
【０００８】
本発明によれば、映像表示システムは、各画像表示装置ごとに設けられて対応する画像表示装置に接続され、かつ、通常時に対応する画像表示装置の画面の描画の一部を行う第１の表示用コンピュータと、各画像表示装置ごとに設けられて対応する画像表示装置に接続され、かつ、通常時に対応する画像表示装置の画面の描画の残部を行う第２の表示用コンピュータとを備え、同じ画像表示装置に接続された第１の表示用コンピュータおよび第２の表示用コンピュータは、互いに通信可能に接続され、かつ、通信相手の異常を検出する機能を有し、通信相手の異常検出時に、第１の表示用コンピュータおよび第２の表示用コンピュータのうち正常な表示用コンピュータは対応する画像表示装置の画面の描画の全部を行う。
【０００９】
したがって、第１の表示用コンピュータおよび第２の表示用コンピュータのうちの一方の表示用コンピュータの異常が検出され、当該表示用コンピュータによる描画が停止した場合にも、もう一方の表示用コンピュータによる描画は停止しない。これにより、表示用コンピュータの異常が検出されてから、正常な表示用コンピュータが画面の描画の全部を行うまでの間、すなわち、画像表示装置の映像入力が切り替えられるまでの間でも、その画像表示装置の全ての映像が止まってしまうことを回避することができる。
【図面の簡単な説明】
【００１０】
【図１】実施の形態に係る映像表示システムの構成例を示す図である。
【図２】表示用コンピュータのハードウェア構成図である。
【図３】通常時に第１の表示用コンピュータが描画している映像を示す図である。
【図４】通常時に第２の表示用コンピュータが描画している映像を示す図である。
【図５】通常時に画像表示装置が表示している映像を示す図である。
【図６】第２の表示用コンピュータが故障したときに画像表示装置が表示している映像を示す図である。
【図７】表示用コンピュータの動作を示すフローチャートである。
【発明を実施するための形態】
【００１１】
＜実施の形態＞
本発明の実施の形態について、図面を用いて以下に説明する。図１は、実施の形態に係る映像表示システムの構成例を示す図である。
【００１２】
図１に示すように、映像表示システムは、画像表示装置１，２，３，４、第１の表示用コンピュータである表示用コンピュータ１１，１２，１３，１４、および第２の表示用コンピュータである表示用コンピュータ２１，２２，２３，２４を備えている。映像表示システムはさらに、中央制御部（図示省略）を備えている。図１に示す映像表示システムでは、４台の画像表示装置１，２，３，４により２×２面のマルチディスプレイ（マルチ画面）を構成しており、マルチ画面に映像が表示される。各画像表示装置１，２，３，４ごとに設けられて対応する画像表示装置１，２，３，４には、第１の表示用コンピュータである表示用コンピュータ１１，１２，１３，１４と、第２の表示用コンピュータである表示用コンピュータ２１，２２，２３，２４がそれぞれ映像を送信可能に接続されている。さらに、表示用コンピュータ１１，１２，１３，１４と、表示用コンピュータ２１，２２，２３，２４はそれぞれ互いに通信可能に接続されている。
【００１３】
上記の接続関係について具体的に説明すると、中央制御部がバスに接続されており、このバスを介して画像表示装置１，２，３，４、表示用コンピュータ１１，１２，１３，１４、および表示用コンピュータ２１，２２，２３，２４が接続されている。ここで、画像表示装置１，２，３，４、表示用コンピュータ１１，１２，１３，１４、および表示用コンピュータ２１，２２，２３，２４は、ＬＡＮインターフェースまたはＲＳ２３２Ｃインターフェースによって接続されている。すなわち、第１の表示用コンピュータである表示用コンピュータ１１，１２，１３，１４、および第２の表示用コンピュータである表示用コンピュータ２１，２２，２３，２４は、ＬＡＮインターフェースまたはＲＳ２３２Ｃインターフェースによって接続されている。
【００１４】
次に、第１の表示用コンピュータである表示用コンピュータ１１，１２，１３，１４と、第２の表示用コンピュータである表示用コンピュータ２１，２２，２３，２４のハードウェア構成について説明する。図２は、表示用コンピュータ１１のハードウェア構成図である。表示用コンピュータ１１，１２，１３，１４と、表示用コンピュータ２１，２２，２３，２４は全て同じハードウェア構成であるため、ここでは表示用コンピュータ１１のハードウェア構成について説明する。
【００１５】
図２に示すように、表示用コンピュータ１１は、プロセッサ３０およびメモリ３１を備えている。表示用コンピュータ１１の描画機能および異常検出機能は、図２のプロセッサ３０がメモリ３１等に記憶されたプログラムを実行することにより、当該プロセッサ３０の機能として実現される。ただし、これらは、例えば複数のプロセッサ３０が連携して実現されてもよい。なお、描画機能および異常検出機能については後述する。
【００１６】
次に、通常時における映像表示システムの動作について説明する。図３は、通常時に表示用コンピュータ１１，１２，１３，１４が描画している映像を示す図である。図４は、通常時に表示用コンピュータ２１，２２，２３，２４が描画している映像を示す図である。図５は、通常時に画像表示装置１，２，３，４が表示している映像を示す図である。
【００１７】
表示用コンピュータ１１，１２，１３，１４は通常時に、例えば、図３に示すように画像表示装置１，２，３，４の画面に、ウィンドウ状の映像であるウィンドウＡ，Ｃ，Ｅ，Ｇ，Ｉ，Ｋを描画する。より具体的には、画像表示装置１に表示されるウィンドウＡ，Ｃは表示用コンピュータ１１により描画されている。画像表示装置２に表示されるウィンドウＥは表示用コンピュータ１２により描画されている。画像表示装置１，２，３，４に表示されるウィンドウＧは表示用コンピュータ１，２，３，４により描画されている。画像表示装置３，４に表示されるウィンドウＩは表示用コンピュータ１３，１４により描画されている。画像表示装置４に表示されるウィンドウＫは表示用コンピュータ１４により描画されている。
【００１８】
表示用コンピュータ２１，２２，２３，２４は通常時に、例えば、図４に示すように画像表示装置１，２，３，４の画面に、ウィンドウ状の映像であるウィンドウＢ，Ｄ，Ｆ，Ｈ，Ｊを描画する。より具体的には、画像表示装置１に表示されるウィンドウＢは表示用コンピュータ２１により描画されている。画像表示装置１，２に表示されるウィンドウＤは表示用コンピュータ２１，２２により描画されている。画像表示装置２，４に表示されるウィンドウＦは表示用コンピュータ２２，２４により描画されている。画像表示装置３に表示されるウィンドウＨは表示用コンピュータ２３により描画されている。画像表示装置４に表示されるウィンドウＪは表示用コンピュータ２４により描画されている。
【００１９】
各画像表示装置１，２，３，４は、図５に示すように、表示用コンピュータ１１，１２，１３，１４による描画の一部と、表示用コンピュータ２１，２２，２３，２４による描画の残部の合成を行い合成後の映像を表示している。ここで、各画像表示装置１，２，３，４は、映像表示システム全体で、表示用コンピュータ１１，１２，１３，１４と、表示用コンピュータ２１，２２，２３，２４が出力するウィンドウＡ，Ｂ，Ｃ，Ｄ，Ｅ，Ｆ，Ｇ，Ｈ、Ｉ，Ｊ，Ｋに対して優先順位を設定し、各画像表示装置内で映像の矩形エリア単位でウィンドウの位置サイズを判別し優先順位に従って映像エリアを合成する。
【００２０】
また、表示用コンピュータ１１，１２，１３，１４と、表示用コンピュータ２１，２２，２３，２４は、通信相手の異常を検出する機能を有している。例えば、表示用コンピュータ１１および表示用コンピュータ２１は、同じ画像表示装置１に対して映像を表示可能に接続されている。さらに、表示用コンピュータ１１および表示用コンピュータ２１は、互いに通信可能に接続されている。表示用コンピュータ１１は、通信相手である表示用コンピュータ２１の異常検出を行っており、一方表示用コンピュータ２１は、通信相手である表示用コンピュータ１１の異常検出を行っている。
【００２１】
異常検出は、例えば、表示用コンピュータ１１，２１内で動作しているソフトウェアが、ＬＡＮインターフェースまたはＲＳ−２３２Ｃインターフェース等を介して通信相手の表示用コンピュータ内で動作しているソフトウェアに対して定期的に生存確認コマンドを送信し、それの応答の有無により行われる。または異常検出は、通信手段としてＬＡＮインターフェースが用いられる場合、表示用コンピュータ内で動作しているソフトウェアが通信相手の表示用コンピュータ内のＯＳに対して定期的にＩＣＭＰ（Internet Control Message Protocol）のエコー（ＰＩＮＧコマンド）を送信し、それの応答の有無により行われる。
【００２２】
通常時に、第１の表示用コンピュータおよび第２の表示用コンピュータは、対応する画像表示装置に対して信号を送信する。当該画像表示装置は、その信号を受信し第１の表示用コンピュータおよび第２の表示用コンピュータが行う描画の一部および残部の合成をＯＮ、すなわち、第１の表示用コンピュータおよび第２の表示用コンピュータが行う描画の合成を行う。
【００２３】
一方、ある画像表示装置に接続されている１台の表示用コンピュータに異常が発生し、上記の方法によって、同じ画像表示装置に接続されている別のもう１台の表示用コンピュータが異常を検出した場合、当該表示用コンピュータは、それまで異常が発生した表示用コンピュータが行っていた画面の描画の残部も行う。すなわち、描画の全部を行い、当該画像表示装置に対して、第１の表示用コンピュータおよび第２の表示用コンピュータが行う描画の合成をＯＦＦにして、合成を行わせないようにする。
【００２４】
ここで、画像表示装置の合成をＯＮするとは、画像表示装置内のフレームメモリに、第１の表示用コンピュータによる画面の描画の一部と第２の表示用コンピュータによる画面の描画の残部とを重ね書きすることをいう。また、画像表示装置の合成をＯＦＦするとは、画像表示装置内のフレームメモリに、正常な表示用コンピュータによる画面の描画の全部を書き込むことをいう。
【００２５】
図６は、第２の表示用コンピュータが故障したとき（異常検出時）に画像表示装置が表示している映像を示す図である。例えば、図６に示すように、画像表示装置１に接続されている表示用コンピュータ２１に異常が発生し、同じ画像表示装置１に対して映像を表示可能に接続されている表示用コンピュータ１１が表示用コンピュータ２１の異常を検出した場合、表示用コンピュータ１１は、自身が描画していた映像（ウィンドウＡ，Ｃ、ウィンドウＧの一部のエリア）に加えて、これまで表示用コンピュータ２１が描画していた映像（ウィンドウＢ、ウィンドウＤの一部のエリア）も描画する。さらに、表示用コンピュータ１１は、画像表示装置１の合成をＯＦＦするように制御することで、表示用コンピュータ１１の映像出力のみを表示するようにして、画像表示装置１の画面には通常時と同じように全ての映像が表示されるようにする。
【００２６】
次に、図７を用いて、表示用コンピュータの動作について説明する。図７は、表示用コンピュータの動作を示すフローチャートである。表示用コンピュータの電源がＯＮされたときに、図７のフローチャートに示す動作が開始される。最初に、表示用コンピュータは、通信相手であるもう一方の表示用コンピュータに対して生存確認コマンド等を送信しその応答の有無により異常検出を行う。表示用コンピュータは、通信相手から応答があった場合に通信相手が正常であると判定する（ステップＳ１においてＹｅｓ）。表示用コンピュータは、ｉを０に設定する（ステップＳ２）。ここで、ｉは描画対象となるウィンドウ番号であり、例えばメモリ３１に格納されている。
【００２７】
ｉがウィンドウ数よりも小さい場合（ステップＳ３においてＹｅｓ）、ウィンドウｉは、この表示用コンピュータのエリア内か否か、すなわち、この表示用コンピュータが接続されている画像表示装置のエリア内に表示する映像であるか否かを判定する（ステップＳ４）。例えば、ウィンドウ０とは図５においてウィンドウＡを示し、ウィンドウ１とは図５においてウィンドウＢを示すものとする。ここで、中央制御部から、全ての表示用コンピュータに対して、４つの画像表示装置１，２，３，４に表示させる全ての映像（図５においてはウィンドウＡ〜Ｋ）について座標を含む情報が送信される。この情報はさらに、どの表示用コンピュータに描画させるかが対応付けられている。ステップＳ４においては、対応する画像表示装置に接続されている第１の表示用コンピュータまたは第２の表示用コンピュータが描画する映像であるか否かが判定される。
【００２８】
ウィンドウｉが、この表示用コンピュータのエリア内、すなわち、この表示用コンピュータが接続されている画像表示装置のエリア内に表示する映像である場合（ステップＳ４においてＹｅｓ）、表示用コンピュータは、ウィンドウｉが自身で描画する映像であるか否かを判定する（ステップＳ５）。ウィンドウｉが自身で描画する映像である場合（ステップＳ５においてＹｅｓ）、表示用コンピュータは、ウィンドウｉを描画し（ステップＳ６）、ｉを１だけインクリメントした後（ステップＳ７）、ステップＳ３へ処理を移行させる。
【００２９】
ステップＳ４においてウィンドウｉが、この表示用コンピュータのエリア内、すなわち、この表示用コンピュータが接続されている画像表示装置のエリア内に表示しない映像である場合（ステップＳ４においてＮｏ）、またはウィンドウｉが自身で描画する映像でない場合、すなわち、もう一方の表示用コンピュータで描画する映像である場合（ステップＳ５においてＮｏ）、表示用コンピュータは処理をステップＳ７へ移行させる。
【００３０】
ステップＳ３においてｉがウィンドウ数と同じである場合（ステップＳ３においてＮｏ）、すなわち、ウィンドウＡ〜Ｋまで処理を行った場合、表示用コンピュータは、この表示用コンピュータが接続されている画像表示装置の合成をＯＮするように制御した後（ステップＳ８）、処理をステップＳ１へ移行させる。
【００３１】
表示用コンピュータが、通信相手であるもう一方の表示用コンピュータから応答がなかったため異常と判定した場合、すなわち通信相手の異常を検出した場合（ステップＳ１においてＮｏ）、表示用コンピュータは、ｉを０に設定する（ステップＳ９）。
【００３２】
ｉがウィンドウ数よりも小さい場合（ステップＳ１０においてＹｅｓ）、ウィンドウｉは、この表示用コンピュータのエリア内か否かを判定する（ステップＳ１１）。ウィンドウｉが、この表示用コンピュータのエリア内、すなわち、この表示用コンピュータが接続されている画像表示装置のエリア内に表示する映像である場合（ステップＳ１１においてＹｅｓ）、表示用コンピュータは、ウィンドウｉを描画し（ステップＳ１２）、ｉを１だけインクリメントした後（ステップＳ１２）、ステップＳ１０へ処理を移行させる。ここで、ステップＳ１１とステップＳ１２との間にステップＳ５と同様の処理は行われない。これは、表示用コンピュータが自身で描画していた映像に加えて、これまでもう一方の表示用コンピュータで描画していた映像も描画するためである。
【００３３】
ステップＳ１１においてウィンドウｉが、この表示用コンピュータのエリア内、すなわち、この表示用コンピュータが接続されている画像表示装置のエリア内に表示する映像でない場合（ステップＳ１１においてＮｏ）、表示用コンピュータは処理をステップＳ１３へ移行させる。
【００３４】
ステップＳ１０においてｉがウィンドウ数と同じである場合（ステップＳ１０においてＮｏ）、すなわち、ウィンドウＡ〜Ｋまで処理を行った場合、表示用コンピュータは、この表示用コンピュータが接続されている画像表示装置の合成をＯＦＦするように制御した後（ステップＳ１４）、処理をステップＳ１へ移行させる。
【００３５】
以上のように、実施の形態に係る映像表示システムは、各画像表示装置１，２，３，４ごとに設けられて対応する画像表示装置１，２，３，４に接続され、かつ、通常時に対応する画像表示装置１，２，３，４の画面の描画の一部を行う表示用コンピュータ１１，１２，１３，１４と、各画像表示装置１，２，３，４ごとに設けられて対応する画像表示装置１，２，３，４に接続され、かつ、通常時に対応する画像表示装置１，２，３，４の画面の描画の残部を行う表示用コンピュータ２１，２２，２３，２４とを備え、同じ画像表示装置１，２，３，４に接続された表示用コンピュータ１１，１２，１３，１４および表示用コンピュータ２１，２２，２３，２４は、互いに通信可能に接続され、かつ、通信相手の異常を検出する機能を有し、通信相手の異常検出時に、表示用コンピュータ１１，１２，１３，１４および表示用コンピュータ２１，２２，２３，２４のうち正常な表示用コンピュータは対応する画像表示装置１，２，３，４の画面の描画の全部を行う。
【００３６】
したがって、表示用コンピュータ１１，１２，１３，１４および表示用コンピュータ２１，２２，２３，２４のうちの一方の表示用コンピュータの異常が検出され、当該表示用コンピュータによる描画が停止した場合にも、もう一方の表示用コンピュータによる描画は停止しない。これにより、表示用コンピュータの異常が検出されてから、正常な表示用コンピュータが画面の描画の全部を行うまでの間、すなわち、画像表示装置の映像入力が切り替えられるまでの間でも、その画像表示装置の全ての映像が止まってしまうことを回避することができる。
【００３７】
また、通常時は各画像表示装置に対して２台の表示用コンピュータが分担して描画を行っているため、各表示用コンピュータは映像の一部のみを描画すればよい。これにより、動画更新速度が上がり映像描画のパフォーマンスを向上させることができる。
【００３８】
さらに、表示用コンピュータにおいて負荷の高いストリーム映像のデコード処理等を行わせる場合には、個々の表示用コンピュータでは一部のストリームの処理のみを行えばよいため、性能の低い安価な表示用コンピュータでも対応可能となり、映像表示システム全体の設備投資コストを低減することができる。
【００３９】
また、通常時にどちらの表示用コンピュータも使用しているため、資源を有効に活用でき設備投資コストの有効活用を図ることができる。
【００４０】
また、表示用コンピュータの異常を検出し、画像表示装置の制御が行われるまでの間でも一部の映像を表示することができるため、最終的には動画の更新速度が下がるが映像が途切れず監視制御システムの運用を継続できる。
【００４１】
また、図５に示すウィンドウＧは４台の画像表示装置１，２，３，４の画面に表示されており、表示用コンピュータ１１が故障した場合、表示用コンピュータ２１が表示用コンピュータ１１の代わりにウィンドウＧの一部を描画するが、動画データの場合は更新速度が低下する等の問題が発生する。この場合、表示用コンピュータ１２，１３，１４の動画更新速度を遅くなるように制御すれば、映像表示システム全体でのウィンドウＧに対する映像表示が違和感なく表示されるように制御することができる。
【００４２】
画像表示装置は、通常時に表示用コンピュータ１１，１２，１３，１４および表示用コンピュータ２１，２２，２３，２４が行う描画の一部および残部の合成を行い、異常検出時に正常な表示用コンピュータは合成を行わせない。したがって、異常検出時においても正常な表示用コンピュータによる画面の描画の全部を表示させることで、一部の映像が欠落することなく全ての映像を表示させることができる。
【００４３】
表示用コンピュータ１１，１２，１３，１４および表示用コンピュータ２１，２２，２３，２４は、ＬＡＮインターフェースまたはＲＳ２３２Ｃインターフェースによって接続されるため、定期的に生存確認コマンドまたはＩＣＭＰのエコーを送信することで、簡単に通信相手の異常検出を行うことができる。
【００４４】
なお、本実施の形態では、各画像表示装置に２台の表示用コンピュータが接続されていたが、必ずしも２台である必要はなく、３台以上の表示コンピュータが接続されていてもよい。
【００４５】
また、映像表示システムでは、４台の画像表示装置により２×２面のマルチディスプレイが構成されていたが、例えば９台の画像表示装置により３×３面のマルチディスプレイが構成されていてもよいし、それ以上の数の面を有するマルチディスプレイが構成されていてもよい。
【００４６】
また、表示用コンピュータの異常を検出する方法として、異常を検出する別の装置を用いてもよい。具体的には、異常を検出する別の装置からＬＡＮインターフェースまたはＲＳ−２３２Ｃ等を介して表示用コンピュータ内で動作しているソフトウェアに対して定期的に生存確認コマンドを送信してもよい。または、通信手段としてＬＡＮインターフェースを用いる場合、異常を検出する別の装置から表示用コンピュータ内のＯＳに対してＩＣＭＰのエコー（ＰＩＮＧコマンド）を送信してもよい。
【００４７】
なお、本発明は、その発明の範囲内において、実施の形態を適宜、変形、省略することが可能である。
【符号の説明】
【００４８】
１，２，３，４  画像表示装置、１１，１２，１３，１４  第１の表示用コンピュータ、２１，２２，２３，２４  第２の表示用コンピュータ。
【図１】
2017181526.tif 000003
【図２】
2017181526.tif 000004
【図３】
2017181526.tif 000005
【図４】
2017181526.tif 000006
【図５】
2017181526.tif 000007
【図６】
2017181526.tif 000008
【図７】
2017181526.tif 000009